(57)【要約】【課題】５倍程度以上の高いズーミング比を有するうえ、広角端での画角が大きく、小型で広角撮影に充分に適応でき、ズーム位置に応じて所望の明るさの像を形成することが可能なズームレンズ系、撮像装置及びカメラを提供する。【解決手段】少なくとも１枚のレンズ素子で構成されたレンズ群を複数有するズームレンズ系であって、少なくとも２つの開口絞りを備え、前記少なくとも２つの開口絞りの間に、少なくとも１枚のレンズ素子が配置され、撮像時の広角端から望遠端へのズーミングの際に、ズーム位置に応じて、前記少なくとも２つの開口絞りの中から１つを選択して光量を調整することを特徴とするズームレンズ系、撮像装置及びカメラ。【選択図】図１
2013145286.tif 000002
【特許請求の範囲】
【請求項１】
少なくとも１枚のレンズ素子で構成されたレンズ群を複数有するズームレンズ系であって、
少なくとも２つの開口絞りを備え、
前記少なくとも２つの開口絞りの間に、少なくとも１枚のレンズ素子が配置され、
撮像時の広角端から望遠端へのズーミングの際に、ズーム位置に応じて、前記少なくとも２つの開口絞りの中から１つを選択して光量を調整することを特徴とする、ズームレンズ系。
【請求項２】
撮像時の広角端から望遠端へのズーミングの際に、広角端において選択された開口絞りと、望遠端において選択された開口絞りとが異なる、請求項１に記載のズームレンズ系。
【請求項３】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、請求項１に記載のズームレンズ系である、撮像装置。
【請求項４】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【発明の詳細な説明】
【技術分野】
【０００１】
本発明は、ズームレンズ系、撮像装置及びカメラに関する。特に本発明は、高解像度を有するのは勿論のこと、５倍程度以上の高いズーミング比を有するだけでなく、広角端での画角が大きく、小型でありながら広角撮影に充分に適応でき、しかもズーム位置に応じて所望の明るさの像を形成することが可能なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラ（以下、単にデジタルカメラという）に対するコンパクト化及び高性能化の要求は極めて強い。特に、ズーミング比が高いズームレンズ系を搭載したコンパクトタイプのデジタルカメラが、その利便性から強く要望されている。またさらに、撮影範囲が広い広角域を持つズームレンズ系も求められている。このようなズームレンズ系としては、例えば、ネガティブリードの３群構成を有するズームレンズ系やポジティブリードの４群構成を有するズームレンズ系が種々提案されている。
【０００３】
特許文献１には、前記ネガティブリードの３群構成を有し、正の屈折力を有する第２レンズ群の物体側に、広角端、中間領域及び望遠端における開放Ｆナンバーを決定する可変絞りが配置され、該第２レンズ群の像側に、光学性能を劣化させる有害な光線をカットする役割で開口径が固定のメカ絞りが配置されたズームレンズが開示されている。
【先行技術文献】
【特許文献】
【０００４】
【特許文献１】特開２０１０−２４３６３７号公報
【発明の概要】
【発明が解決しようとする課題】
【０００５】
しかしながら、特許文献１に開示のズームレンズは、ズーミング比が比較的小さいうえ、広角端での画角も小さく、広角撮影に充分に適応できるものではないため、近年のデジタルカメラにおける要求を満足し得るものではない。しかも、全ズーミング領域において１つの絞りのみで光量の調整がなされるため、特許文献１に開示のズームレンズは、ズーム位置に応じて光量の調整を適切に行うことができず、ズーム位置に応じて所望の明るさの像を形成することができない。
【０００６】
本発明の目的は、高解像度を有するのは勿論のこと、５倍程度以上の高いズーミング比を有するだけでなく、広角端での画角が大きく、小型でありながら広角撮影に充分に適応でき、しかもズーム位置に応じて所望の明るさの像を形成することが可能なズームレンズ系、該ズームレンズ系を含む撮像装置、及び該撮像装置を備えた薄型でコンパクトなカメラを提供することである。
【課題を解決するための手段】
【０００７】
上記目的の１つは、以下のズームレンズ系により達成される。すなわち本発明は、
少なくとも１枚のレンズ素子で構成されたレンズ群を複数有し、
少なくとも２つの開口絞りを備え、
前記少なくとも２つの開口絞りの間に、少なくとも１枚のレンズ素子が配置され、
撮像時の広角端から望遠端へのズーミングの際に、ズーム位置に応じて、前記少なくとも２つの開口絞りの中から１つを選択して光量を調整することを特徴とする、ズームレンズ系
に関する。
【０００８】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、
少なくとも１枚のレンズ素子で構成されたレンズ群を複数有し、
少なくとも２つの開口絞りを備え、
前記少なくとも２つの開口絞りの間に、少なくとも１枚のレンズ素子が配置され、
撮像時の広角端から望遠端へのズーミングの際に、ズーム位置に応じて、前記少なくとも２つの開口絞りの中から１つを選択して光量を調整することを特徴とするズームレンズ系である、撮像装置
に関する。
【０００９】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
少なくとも２つの開口絞りを備え、
前記少なくとも２つの開口絞りの間に、少なくとも１枚のレンズ素子が配置され、
撮像時の広角端から望遠端へのズーミングの際に、ズーム位置に応じて、前記少なくとも２つの開口絞りの中から１つを選択して光量を調整することを特徴とするズームレンズ系である、カメラ
に関する。
【発明の効果】
【００１０】
本発明によれば、高解像度を有するのは勿論のこと、５倍程度以上の高いズーミング比を有するだけでなく、広角端での画角が大きく、小型でありながら広角撮影に充分に適応でき、しかもズーム位置に応じて所望の明るさの像を形成することが可能なズームレンズ系、該ズームレンズ系を含む撮像装置、及び該撮像装置を備えた薄型でコンパクトなカメラを提供することができる。
【図面の簡単な説明】
【００１１】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施の形態２（実施例２）に係るズームレンズ系の無限遠合焦状態を示すレンズ配置図
【図４】実施例２に係るズームレンズ系の無限遠合焦状態の縦収差図
【図５】実施の形態３（実施例３）に係るズームレンズ系の無限遠合焦状態を示すレンズ配置図
【図６】実施例３に係るズームレンズ系の無限遠合焦状態の縦収差図
【図７】実施の形態４（実施例４）に係るズームレンズ系の無限遠合焦状態を示すレンズ配置図
【図８】実施例４に係るズームレンズ系の無限遠合焦状態の縦収差図
【図９】実施の形態５に係るデジタルスチルカメラの概略構成図
【発明を実施するための形態】
【００１２】
（実施の形態１〜４）
図１、３、５及び７は、各々実施の形態１〜４に係るズームレンズ系のレンズ配置図であり、いずれも無限遠合焦状態にあるズームレンズ系を表している。
【００１３】
各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１４】
さらに各図において、レンズ群に付された矢印は、無限遠合焦状態から近接物体合焦状態へのフォーカシングを表す。すなわち、図１、３、５及び７では、後述する第３レンズ群Ｇ３が無限遠合焦状態から近接物体合焦状態へのフォーカシングの際に移動する方向を示している。
【００１５】
実施の形態１及び２に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３とを備える。ズーミングに際して、各レンズ群の間隔、すなわち、前記第１レンズ群Ｇ１と第２レンズ群Ｇ２との間隔、及び第２レンズ群Ｇ２と第３レンズ群Ｇ３との間隔がいずれも変化するように、全レンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１６】
実施の形態３及び４に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４とを備える。ズーミングに際して、各レンズ群の間隔、すなわち、前記第１レンズ群Ｇ１と第２レンズ群Ｇ２との間隔、第２レンズ群Ｇ２と第３レンズ群Ｇ３との間隔、及び第３レンズ群Ｇ３と第４レンズ群Ｇ４との間隔がいずれも変化するように、全レンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１７】
なお図１、３、５及び７において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（図１及び３：像面Ｓと第３レンズ群Ｇ３の最像側レンズ面との間、図５及び７：像面Ｓと第４レンズ群Ｇ４の最像側レンズ面との間）には、光学的ローパスフィルタや撮像素子のフェースプレート等と等価な平行平板Ｐが設けられている。
【００１８】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。
【００１９】
実施の形態１に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた負メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。また、第５レンズ素子Ｌ５は、その両面が非球面である。
【００２０】
実施の形態１に係るズームレンズ系において、第３レンズ群Ｇ３は、像側に凸面を向けた正メニスカス形状の第６レンズ素子Ｌ６のみからなる。この第６レンズ素子Ｌ６は、その両面が非球面である。
【００２１】
なお、実施の形態１に係るズームレンズ系において、第３レンズ素子Ｌ３のすぐ物体側には、開口絞り１（後述する対応数値実施例における面データでは、面番号５）Ａ１が設けられており、第５レンズ素子Ｌ５のすぐ物体側には、開口絞り２（後述する対応数値実施例における面データでは、面番号１０）Ａ２が設けられている。これら開口絞り１Ａ１及び開口絞り２Ａ２は、撮像時の広角端から望遠端へのズーミングの際に、第２レンズ群Ｇ２と一体的に光軸上を物体側へ移動する。
【００２２】
実施の形態１に係るズームレンズ系において、像面Ｓの物体側、すなわち像面Ｓと第６レンズ素子Ｌ６との間には、平行平板Ｐが設けられている。
【００２３】
実施の形態１に係るズームレンズ系において、撮像時の広角端から望遠端へのズーミングの際に、第１レンズ群Ｇ１は、像側に凸の軌跡を描いて物体側へ移動し、第２レンズ群Ｇ２は、略単調に物体側へ移動し、第３レンズ群Ｇ３は、略単調に像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が増大するように、全レンズ群が光軸に沿ってそれぞれ移動する。
【００２４】
さらに、実施の形態１に係るズームレンズ系において、無限遠合焦状態から近接物体合焦状態へのフォーカシングの際に、第３レンズ群Ｇ３が光軸に沿って物体側へ移動する。
【００２５】
なお、実施の形態１に係るズームレンズ系では、第２レンズ群Ｇ２全体を光軸に直交する方向に移動させることによって、全系の振動による像点移動を補正することができる。すなわち、全系の振動による像点移動を補正する際に、第２レンズ群Ｇ２全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００２６】
図３に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。
【００２７】
実施の形態２に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた負メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。また、第５レンズ素子Ｌ５は、その両面が非球面である。
【００２８】
実施の形態２に係るズームレンズ系において、第３レンズ群Ｇ３は、像側に凸面を向けた正メニスカス形状の第６レンズ素子Ｌ６のみからなる。この第６レンズ素子Ｌ６は、その両面が非球面である。
【００２９】
なお、実施の形態２に係るズームレンズ系において、第３レンズ素子Ｌ３のすぐ物体側には、開口絞り１（後述する対応数値実施例における面データでは、面番号５）Ａ１が設けられており、第５レンズ素子Ｌ５のすぐ物体側には、開口絞り２（後述する対応数値実施例における面データでは、面番号１０）Ａ２が設けられている。これら開口絞り１Ａ１及び開口絞り２Ａ２は、撮像時の広角端から望遠端へのズーミングの際に、第２レンズ群Ｇ２と一体的に光軸上を物体側へ移動する。
【００３０】
実施の形態２に係るズームレンズ系において、像面Ｓの物体側、すなわち像面Ｓと第６レンズ素子Ｌ６との間には、平行平板Ｐが設けられている。
【００３１】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、略単調に物体側へ移動し、第３レンズ群Ｇ３は、略単調に像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が増大するように、全レンズ群が光軸に沿ってそれぞれ移動する。
【００３２】
さらに、実施の形態２に係るズームレンズ系において、無限遠合焦状態から近接物体合焦状態へのフォーカシングの際に、第３レンズ群Ｇ３が光軸に沿って物体側へ移動する。
【００３３】
なお、実施の形態２に係るズームレンズ系では、第２レンズ群Ｇ２全体を光軸に直交する方向に移動させることによって、全系の振動による像点移動を補正することができる。すなわち、全系の振動による像点移動を補正する際に、第２レンズ群Ｇ２全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００３４】
図５に示すように、実施の形態３に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２とからなる。これら第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。また、第２レンズ素子Ｌ２は、その像側面が非球面である。
【００３５】
実施の形態３に係るズームレンズ系において、第２レンズ群Ｇ２は、物体側から像側へと順に、両凹形状の第３レンズ素子Ｌ３と、両凹形状の第４レンズ素子Ｌ４と、物体側に凸面を向けた正メニスカス形状の第５レンズ素子Ｌ５とからなる。これらのうち、第４レンズ素子Ｌ４は、その物体側面が非球面である。
【００３６】
実施の形態３に係るズームレンズ系において、第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とが接合されており、後述する対応数値実施例における面データでは、これら第７レンズ素子Ｌ７と第８レンズ素子Ｌ８との間の接着剤層に面番号１６が付与されている。また、第６レンズ素子Ｌ６は、その両面が非球面である。
【００３７】
実施の形態３に係るズームレンズ系において、第４レンズ群Ｇ４は、両凸形状の第９レンズ素子Ｌ９のみからなる。この第９レンズ素子Ｌ９は、その両面が非球面である。
【００３８】
なお、実施の形態３に係るズームレンズ系において、第６レンズ素子Ｌ６のすぐ物体側には、開口絞り１（後述する対応数値実施例における面データでは、面番号１１）Ａ１が設けられており、第７レンズ素子Ｌ７のすぐ物体側には、開口絞り２（後述する対応数値実施例における面データでは、面番号１４）Ａ２が設けられている。これら開口絞り１Ａ１及び開口絞り２Ａ２は、撮像時の広角端から望遠端へのズーミングの際に、第３レンズ群Ｇ３と一体的に光軸上を物体側へ移動する。
【００３９】
実施の形態３に係るズームレンズ系において、像面Ｓの物体側、すなわち像面Ｓと第９レンズ素子Ｌ９との間には、平行平板Ｐが設けられている。
【００４０】
実施の形態３に係るズームレンズ系において、撮像時の広角端から望遠端へのズーミングの際に、第１レンズ群Ｇ１は、略単調に物体側へ移動し、第２レンズ群Ｇ２は、物体側に僅かに凸の軌跡を描いて僅かに物体側へ移動し、第３レンズ群Ｇ３は、物体側に凸の軌跡を描いて物体側へ移動し、第４レンズ群Ｇ４は、略単調に像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が増大するように、全レンズ群が光軸に沿ってそれぞれ移動する。
【００４１】
さらに、実施の形態３に係るズームレンズ系において、無限遠合焦状態から近接物体合焦状態へのフォーカシングの際に、第３レンズ群Ｇ３が光軸に沿って物体側へ移動する。
【００４２】
なお、実施の形態３に係るズームレンズ系では、第３レンズ群Ｇ３全体を光軸に直交する方向に移動させることによって、全系の振動による像点移動を補正することができる。すなわち、全系の振動による像点移動を補正する際に、第３レンズ群Ｇ３全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００４３】
図７に示すように、実施の形態４に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２とからなる。これら第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。また、第２レンズ素子Ｌ２は、その像側面が非球面である。
【００４４】
実施の形態４に係るズームレンズ系において、第２レンズ群Ｇ２は、物体側から像側へと順に、両凹形状の第３レンズ素子Ｌ３と、両凹形状の第４レンズ素子Ｌ４と、物体側に凸面を向けた正メニスカス形状の第５レンズ素子Ｌ５とからなる。これらのうち、第４レンズ素子Ｌ４は、その物体側面が非球面である。
【００４５】
実施の形態４に係るズームレンズ系において、第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とが接合されており、後述する対応数値実施例における面データでは、これら第７レンズ素子Ｌ７と第８レンズ素子Ｌ８との間の接着剤層に面番号１６が付与されている。また、第６レンズ素子Ｌ６は、その両面が非球面である。
【００４６】
実施の形態４に係るズームレンズ系において、第４レンズ群Ｇ４は、両凸形状の第９レンズ素子Ｌ９のみからなる。この第９レンズ素子Ｌ９は、その両面が非球面である。
【００４７】
なお、実施の形態４に係るズームレンズ系において、第６レンズ素子Ｌ６のすぐ物体側には、開口絞り１（後述する対応数値実施例における面データでは、面番号１１）Ａ１が設けられており、第７レンズ素子Ｌ７のすぐ物体側には、開口絞り２（後述する対応数値実施例における面データでは、面番号１４）Ａ２が設けられている。これら開口絞り１Ａ１及び開口絞り２Ａ２は、撮像時の広角端から望遠端へのズーミングの際に、第３レンズ群Ｇ３と一体的に光軸上を物体側へ移動する。
【００４８】
実施の形態４に係るズームレンズ系において、像面Ｓの物体側、すなわち像面Ｓと第９レンズ素子Ｌ９との間には、平行平板Ｐが設けられている。
【００４９】
実施の形態４に係るズームレンズ系において、撮像時の広角端から望遠端へのズーミングの際に、第１レンズ群Ｇ１は、略単調に物体側へ移動し、第２レンズ群Ｇ２は、物体側に僅かに凸の軌跡を描いて僅かに物体側へ移動し、第３レンズ群Ｇ３は、物体側に凸の軌跡を描いて物体側へ移動し、第４レンズ群Ｇ４は、略単調に像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が増大するように、全レンズ群が光軸に沿ってそれぞれ移動する。
【００５０】
さらに、実施の形態４に係るズームレンズ系において、無限遠合焦状態から近接物体合焦状態へのフォーカシングの際に、第３レンズ群Ｇ３が光軸に沿って物体側へ移動する。
【００５１】
なお、実施の形態４に係るズームレンズ系では、第３レンズ群Ｇ３全体を光軸に直交する方向に移動させることによって、全系の振動による像点移動を補正することができる。すなわち、全系の振動による像点移動を補正する際に、第３レンズ群Ｇ３全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００５２】
実施の形態１〜４に係るズームレンズ系のごとき本発明のズームレンズ系は、少なくとも２つの開口絞りを備えており、これら少なくとも２つの開口絞りの間に、少なくとも１枚のレンズ素子が配置されている。そして、撮像時の広角端から望遠端へのズーミングの際に、ズーム位置に応じて、これら少なくとも２つの開口絞りの中から１つを選択して光量を調整する。すなわち、本発明のズームレンズ系では、ズーミングの際に、あるズーム位置では、そのズーム位置で所望する明るさの像が形成され得るように、複数の開口絞りの中から選択した１つの開口絞りによって光量を調整し、また別のあるズーム位置では、そのズーム位置で所望する明るさの像が形成され得るように、複数の開口絞りの中から選択した１つの開口絞りによって光量を調整する。このように、本発明のズームレンズ系は、Ｆナンバーに寄与し得る開口絞りを少なくとも２つ備えているので、ズーム位置に応じて光量の調整を適切に行うことができ、ズーム位置に応じて所望の明るさの像を形成することができる。
【００５３】
なお、実施の形態１〜４に係るズームレンズ系では、後述する対応数値実施例における各種データに示すように、撮像時の広角端から望遠端へのズーミングの際に、広角端において選択された開口絞りと、望遠端において選択された開口絞りとが異なる。実施の形態１〜４に係るズームレンズ系において、広角端では、Ｆナンバーが小さく、すなわち光量が多く、明るい像が形成されるように開口絞り１Ａ１が選択され、望遠端では、Ｆナンバーが大きく、すなわち光量が少なく、広角端と比べて暗い像が形成されるように開口絞り２Ａ２が選択されている。
【００５４】
実施の形態１〜４に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００５５】
（実施の形態５）
図９は、実施の形態５に係るデジタルスチルカメラの概略構成図である。図９において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図９において、ズームレンズ系１は、第１レンズ群Ｇ１と、開口絞り１Ａ１及び開口絞り２Ａ２を含む第２レンズ群Ｇ２と、第３レンズ群Ｇ３とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００５６】
鏡筒は、主鏡筒５と、移動鏡筒６と、円筒カム７とで構成されている。円筒カム７を回転させると、第１レンズ群Ｇ１、開口絞り１Ａ１及び開口絞り２Ａ２と第２レンズ群Ｇ２、及び第３レンズ群Ｇ３が撮像素子２を基準にした所定の位置に移動し、広角端から望遠端までのズーミングを行うことができる。第３レンズ群Ｇ３はフォーカス調整用モータにより光軸方向に移動可能である。
【００５７】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図９に示したデジタルスチルカメラには、実施の形態１に係るズームレンズ系の替わりに実施の形態２〜４に係るズームレンズ系のいずれかを用いてもよい。また、図９に示したデジタルスチルカメラの光学系は、動画像を対象とするデジタルビデオカメラに用いることもできる。この場合、静止画像だけでなく、解像度の高い動画像を撮影することができる。
【００５８】
なお、本実施の形態５に係るデジタルスチルカメラでは、ズームレンズ系１として実施の形態１〜４に係るズームレンズ系を示したが、これらのズームレンズ系は、全てのズーミング域を使用する必要はない。すなわち、所望のズーミング域に応じて、光学性能が確保されている範囲を切り出し、実施の形態１〜４で説明したズームレンズ系よりも低倍率のズームレンズ系として使用してもよい。
【００５９】
さらに、実施の形態５では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態５において、第２レンズ群Ｇ２全体、第２レンズ群Ｇ２の一部等のズームレンズ系を構成している一部のレンズ群を、沈胴時に光軸上から退避させる、いわゆるスライディング鏡筒にズームレンズ系を適用してもよい。
【００６０】
また、以上説明した実施の形態１〜４に係るズームレンズ系と、ＣＣＤやＣＭＯＳ等の撮像素子とから構成される撮像装置を、スマートフォン等の携帯情報端末、監視システムにおける監視カメラ、Ｗｅｂカメラ、車載カメラ等に適用することもできる。
【００６１】
以下、実施の形態１〜４に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数であり、絞り１及び絞り２の直径は有効径である。また、各数値実施例において、＊印を付した面は非球面であり、非球面形状は次式で定義している。
【数１】
2013145286.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００６２】
図２、４、６及び８は、各々数値実施例１〜４に係るズームレンズ系の縦収差図である。
【００６３】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００６４】
（数値実施例１）
数値実施例１のズームレンズ系は、図１に示した実施の形態１に対応する。数値実施例１のズームレンズ系の面データを表１に、非球面データを表２に、各種データを表３に示す。
【００６５】
表  １（面データ）
面番号         r           d           nd         vd
物面             ∞
1        196.45960     0.30000     1.72916    54.7 
2          5.98460     1.86770 
3*         8.66670     1.53070     1.63550    23.9 
4*        14.84410        可変
5(絞り1)          ∞    -0.30000
6          4.58530     1.58970     1.72916    54.7 
7         -8.94400     0.00500     1.56732    42.8 
8         -8.94400     0.30000     1.62004    36.3 
9         36.01690     0.49620 
10(絞り2)          ∞     0.00000
11*         8.37030     1.28650     1.63550    23.9 
12*         3.69800        可変
13*       -35.59240     1.43840     1.54310    56.0 
14*        -7.00810        可変
15               ∞     0.50000     1.51680    64.2
16               ∞     0.37000
17               ∞        (BF)
像面             ∞
【００６６】
表  ２（非球面データ）
第3面
K= 0.00000E+00, A4=-1.96013E-04, A6= 8.08283E-06, A8=-1.38859E-06
A10= 5.09613E-08, A12=-4.79626E-11, A14= 1.28647E-11, A16=-1.00260E-12 
第4面
K= 0.00000E+00, A4=-4.49795E-04, A6= 2.80911E-06, A8=-1.82439E-06
A10= 1.18077E-07, A12=-2.34888E-09, A14=-9.27771E-18, A16= 1.24568E-16 
第11面
K= 0.00000E+00, A4=-2.78446E-03, A6=-2.52712E-04, A8= 8.93720E-06
A10= 2.13422E-05, A12=-7.27526E-06, A14= 1.74476E-07, A16= 1.16882E-07 
第12面
K= 0.00000E+00, A4= 1.43930E-04, A6= 2.45586E-04, A8=-7.63582E-05
A10=-2.11697E-05, A12= 1.03466E-05, A14= 5.08150E-06, A16=-1.72649E-06 
第13面
K= 0.00000E+00, A4= 6.59545E-04, A6=-7.68656E-05, A8= 7.03087E-06
A10=-2.67241E-07, A12= 4.96282E-09, A14= 1.20119E-18, A16= 5.61307E-17 
第14面
K= 0.00000E+00, A4= 1.81052E-03, A6=-1.03965E-04, A8= 8.50713E-06
A10=-3.50264E-07, A12= 7.11113E-09, A14=-7.86620E-19, A16=-3.92809E-17
【００６７】
表  ３（各種データ）
ズーム比     4.60994
広角      中間      望遠
焦点距離       4.4515    9.2575   20.5212
Ｆナンバー     2.66857   3.93480   6.80005
画角        42.0647   22.4483   10.4203
像高         3.4000    3.8770    3.8770
レンズ全長     30.6310   26.1886   31.7260
ＢＦ        0.04090  -0.00776  -0.01299
d4          14.7223    5.6089    0.6000 
d12          3.0287    8.1765   18.7176 
d14          3.4549    3.0269    3.0372 
入射瞳位置      7.1348    4.9579    2.6926
射出瞳位置    -13.0677  -39.0826   56.0917
前側主点位置   10.0747   12.0222   30.7198
後側主点位置   26.1795   16.9311   11.2048
絞り1(直径)     4.1000    4.1000    4.1000
絞り2(直径)     3.3600    3.3600    3.3600
※絞り１は広角端用の絞りであり、絞り２は中間・望遠端用の絞りである。
単レンズデータ
レンズ     始面     焦点距離
1         1       -8.4710
2         3       29.8926
3         6        4.3739
4         8      -11.5259
5        11      -11.6736
6        13       15.7880
ズームレンズ群データ
群   始面    焦点距離  レンズ構成長    前側主点位置  後側主点位置
1      1   -12.19926     3.69840        -0.09212       0.68998
2      5     8.89034     3.37740        -2.80370      -0.37274
3     13    15.78795     1.43840         1.14049       1.66296
ズームレンズ群倍率
群   始面    広角       中間       望遠
1      1    0.00000    0.00000    0.00000
2      5   -0.48752   -0.97455   -2.16119
3     13    0.74849    0.77868    0.77835
【００６８】
（数値実施例２）
数値実施例２のズームレンズ系は、図３に示した実施の形態２に対応する。数値実施例２のズームレンズ系の面データを表４に、非球面データを表５に、各種データを表６に示す。
【００６９】
表  ４（面データ）
面番号         r           d           nd         vd
物面             ∞
1        196.45960     0.30000     1.72916    54.7 
2          5.98460     1.86770 
3*         8.66670     1.53070     1.63550    23.9 
4*        14.84410        可変
5(絞り1)          ∞    -0.30000
6          4.58530     1.58970     1.72916    54.7 
7         -8.94400     0.00500     1.56732    42.8 
8         -8.94400     0.30000     1.62004    36.3 
9         36.01690     0.49620 
10(絞り2)          ∞     0.00000
11*         8.37030     1.28650     1.63550    23.9 
12*         3.69800        可変
13*       -35.59240     1.43840     1.54310    56.0 
14*        -7.00810        可変
15               ∞     0.50000     1.51680    64.2
16               ∞     0.37000
17               ∞        (BF)
像面             ∞
【００７０】
表  ５（非球面データ）
第3面
K= 0.00000E+00, A4=-1.96013E-04, A6= 8.08283E-06, A8=-1.38859E-06
A10= 5.09613E-08, A12=-4.79626E-11, A14= 1.28647E-11, A16=-1.00260E-12 
第4面
K= 0.00000E+00, A4=-4.49795E-04, A6= 2.80911E-06, A8=-1.82439E-06
A10= 1.18077E-07, A12=-2.34888E-09, A14=-9.27771E-18, A16= 1.24568E-16 
第11面
K= 0.00000E+00, A4=-2.78446E-03, A6=-2.52712E-04, A8= 8.93720E-06
A10= 2.13422E-05, A12=-7.27526E-06, A14= 1.74476E-07, A16= 1.16882E-07 
第12面
K= 0.00000E+00, A4= 1.43930E-04, A6= 2.45586E-04, A8=-7.63582E-05
A10=-2.11697E-05, A12= 1.03466E-05, A14= 5.08150E-06, A16=-1.72649E-06 
第13面
K= 0.00000E+00, A4= 6.59545E-04, A6=-7.68656E-05, A8= 7.03087E-06
A10=-2.67241E-07, A12= 4.96282E-09, A14= 1.20119E-18, A16= 5.61307E-17 
第14面
K= 0.00000E+00, A4= 1.81052E-03, A6=-1.03965E-04, A8= 8.50713E-06
A10=-3.50264E-07, A12= 7.11113E-09, A14=-7.86620E-19, A16=-3.92809E-17
【００７１】
表  ６（各種データ）
ズーム比     4.60994
広角      中間      望遠
焦点距離       4.4515    9.2575   20.5212
Ｆナンバー     2.66857   3.86762   6.65393
画角        42.0642   22.4488   10.4205
像高         3.4000    3.8770    3.8770
レンズ全長     30.6310   26.1886   31.7260
ＢＦ        0.04090  -0.00776  -0.01299
d4          14.7223    5.6089    0.6000 
d12          3.0287    8.1765   18.7176 
d14          3.4549    3.0269    3.0372 
入射瞳位置      7.1348    4.9579    2.6926
射出瞳位置    -13.0677  -39.0826   56.0917
前側主点位置   10.0747   12.0222   30.7198
後側主点位置   26.1795   16.9311   11.2048
絞り1(直径)     4.1000    4.1000    4.1000
絞り2(直径)     3.4400    3.4400    3.4400
※絞り１は広角端・中間用の絞りであり、絞り２は望遠端用の絞りである。
単レンズデータ
レンズ     始面     焦点距離
1         1       -8.4710
2         3       29.8926
3         6        4.3739
4         8      -11.5259
5        11      -11.6736
6        13       15.7880
ズームレンズ群データ
群   始面    焦点距離  レンズ構成長    前側主点位置  後側主点位置
1      1   -12.19926     3.69840        -0.09212       0.68998
2      5     8.89034     3.37740        -2.80370      -0.37274
3     13    15.78795     1.43840         1.14049       1.66296
ズームレンズ群倍率
群   始面    広角       中間       望遠
1      1    0.00000    0.00000    0.00000
2      5   -0.48752   -0.97455   -2.16119
3     13    0.74849    0.77868    0.77835
【００７２】
（数値実施例３）
数値実施例３のズームレンズ系は、図５に示した実施の形態３に対応する。数値実施例３のズームレンズ系の面データを表７に、非球面データを表８に、各種データを表９に示す。
【００７３】
表  ７（面データ）
面番号         r           d           nd         vd
物面             ∞
1         15.33220     0.50000     1.92286    20.9 
2         12.03590     0.01000     1.56732    42.8 
3         12.03590     3.30000     1.58332    59.1 
4*      -143.37120        可変
5       -113.96490     0.30000     1.77250    49.6 
6          5.08880     2.55380 
7*       -16.51260     0.60000     1.54410    56.1 
8         15.13410     0.11490 
9         10.75730     0.95960     1.94595    18.0 
10         33.23970        可変
11(絞り1)          ∞    -0.08590
12*         4.23020     1.67510     1.51776    69.9 
13*       -14.19860     0.25000 
14(絞り2)          ∞     0.00000
15          5.26140     0.89530     1.70154    41.1 
16          9.13560     0.01000     1.56732    42.8 
17          9.13560     0.35000     1.84666    23.8 
18          3.25590        可変
19*        21.65070     1.74000     1.54410    56.1 
20*       -17.66480        可変
21               ∞     0.80000     1.51680    64.2
22               ∞     0.37000
23               ∞        (BF)
像面             ∞
【００７４】
表  ８（非球面データ）
第4面
K= 0.00000E+00, A4= 1.69025E-05, A6= 1.93134E-07, A8=-1.17642E-08
A10= 3.27810E-10, A12=-4.48109E-12, A14= 2.36404E-14, A16= 0.00000E+00 
第7面
K= 0.00000E+00, A4= 4.61142E-04, A6=-3.45253E-05, A8= 2.34230E-06
A10=-4.73645E-08, A12= 0.00000E+00, A14= 0.00000E+00, A16= 0.00000E+00 
第12面
K= 0.00000E+00, A4=-1.15181E-03, A6= 3.93138E-04, A8=-1.67053E-04
A10= 4.07248E-05, A12=-2.82709E-06, A14=-6.18533E-08, A16= 0.00000E+00 
第13面
K= 0.00000E+00, A4= 1.13400E-03, A6= 6.51554E-04, A8=-2.72078E-04
A10= 6.63743E-05, A12=-4.88291E-06, A14=-5.65986E-08, A16= 2.37810E-12 
第19面
K= 0.00000E+00, A4= 9.22737E-04, A6=-5.75715E-05, A8= 2.79486E-06
A10=-4.21216E-08, A12= 0.00000E+00, A14= 0.00000E+00, A16= 0.00000E+00 
第20面
K= 0.00000E+00, A4= 1.48827E-03, A6=-1.65871E-04, A8= 1.65675E-05
A10=-1.21484E-06, A12= 5.87659E-08, A14=-1.53743E-09, A16= 1.59274E-11
【００７５】
表  ９（各種データ）
ズーム比     9.33019
広角      中間      望遠
焦点距離       4.6197   14.1110   43.1029
Ｆナンバー     3.24493   5.08837   6.30160
画角        41.2135   15.3419    5.1314
像高         3.4500    3.9020    3.9020
レンズ全長     34.3989   41.5046   48.4135
ＢＦ        0.43414   0.32845   0.37289
d4           0.3060    6.3831   13.7180 
d10         11.6829    4.9579    0.3859 
d18          3.5500   11.3731   16.4768 
d20          4.0831    4.1192    3.1171 
入射瞳位置      9.6445   22.5852   56.8422
射出瞳位置    -13.6977  -57.7278  807.5997
前側主点位置   12.7540   33.2665  102.2466
後側主点位置   29.7792   27.3935    5.3106
絞り1(直径)     3.7760    3.7760    3.7760
絞り2(直径)     3.4400    3.4400    3.4400
※絞り１は広角端用の絞りであり、絞り２は中間・望遠端用の絞りである。
単レンズデータ
レンズ     始面     焦点距離
1         1      -65.4255
2         3       19.1855
3         5       -6.2990
4         7      -14.4169
5         9       16.4715
6        12        6.4962
7        15       16.1465
8        17       -6.1427
9        19       18.1620
ズームレンズ群データ
群   始面    焦点距離  レンズ構成長    前側主点位置  後側主点位置
1      1    27.66189     3.81000         0.06360       1.50233
2      5    -5.87785     4.52830         0.27326       1.13244
3     11     9.07354     3.09450        -2.32889      -0.22903
4     19    18.16203     1.74000         0.63039       1.22567
ズームレンズ群倍率
群   始面    広角       中間       望遠
1      1    0.00000    0.00000    0.00000
2      5   -0.31105   -0.45849   -1.07160
3     11   -0.79715   -1.64253   -1.99160
4     19    0.67355    0.67738    0.73011
【００７６】
（数値実施例４）
数値実施例４のズームレンズ系は、図７に示した実施の形態４に対応する。数値実施例４のズームレンズ系の面データを表１０に、非球面データを表１１に、各種データを表１２に示す。
【００７７】
表  １０（面データ）
面番号         r           d           nd         vd
物面             ∞
1         15.33220     0.50000     1.92286    20.9 
2         12.03590     0.01000     1.56732    42.8 
3         12.03590     3.30000     1.58332    59.1 
4*      -143.37120        可変
5       -113.96490     0.30000     1.77250    49.6 
6          5.08880     2.55380 
7*       -16.51260     0.60000     1.54410    56.1 
8         15.13410     0.11490 
9         10.75730     0.95960     1.94595    18.0 
10         33.23970        可変
11(絞り1)          ∞    -0.08590
12*         4.23020     1.67510     1.51776    69.9 
13*       -14.19860     0.25000 
14(絞り2)          ∞     0.00000
15          5.26140     0.89530     1.70154    41.1 
16          9.13560     0.01000     1.56732    42.8 
17          9.13560     0.35000     1.84666    23.8 
18          3.25590        可変
19*        21.65070     1.74000     1.54410    56.1 
20*       -17.66480        可変
21               ∞     0.80000     1.51680    64.2
22               ∞     0.37000
23               ∞        (BF)
像面             ∞
【００７８】
表  １１（非球面データ）
第4面
K= 0.00000E+00, A4= 1.69025E-05, A6= 1.93134E-07, A8=-1.17642E-08
A10= 3.27810E-10, A12=-4.48109E-12, A14= 2.36404E-14, A16= 0.00000E+00 
第7面
K= 0.00000E+00, A4= 4.61142E-04, A6=-3.45253E-05, A8= 2.34230E-06
A10=-4.73645E-08, A12= 0.00000E+00, A14= 0.00000E+00, A16= 0.00000E+00 
第12面
K= 0.00000E+00, A4=-1.15181E-03, A6= 3.93138E-04, A8=-1.67053E-04
A10= 4.07248E-05, A12=-2.82709E-06, A14=-6.18533E-08, A16= 0.00000E+00 
第13面
K= 0.00000E+00, A4= 1.13400E-03, A6= 6.51554E-04, A8=-2.72078E-04
A10= 6.63743E-05, A12=-4.88291E-06, A14=-5.65986E-08, A16= 2.37810E-12 
第19面
K= 0.00000E+00, A4= 9.22737E-04, A6=-5.75715E-05, A8= 2.79486E-06
A10=-4.21216E-08, A12= 0.00000E+00, A14= 0.00000E+00, A16= 0.00000E+00 
第20面
K= 0.00000E+00, A4= 1.48827E-03, A6=-1.65871E-04, A8= 1.65675E-05
A10=-1.21484E-06, A12= 5.87659E-08, A14=-1.53743E-09, A16= 1.59274E-11
【００７９】
表  １２（各種データ）
ズーム比     9.33019
広角      中間      望遠
焦点距離       4.6197   14.1110   43.1029
Ｆナンバー     3.24493   5.00440   6.18468
画角        41.2147   15.3422    5.1313
像高         3.4500    3.9020    3.9020
レンズ全長     34.3989   41.5046   48.4135
ＢＦ        0.43414   0.32845   0.37289
d4           0.3060    6.3831   13.7180 
d10         11.6829    4.9579    0.3859 
d18          3.5500   11.3731   16.4768 
d20          4.0831    4.1192    3.1171 
入射瞳位置      9.6445   22.5852   56.8422
射出瞳位置    -13.6977  -57.7278  807.5997
前側主点位置   12.7540   33.2665  102.2466
後側主点位置   29.7792   27.3935    5.3106
絞り1(直径)     3.7760    3.7760    3.7760
絞り2(直径)     3.5100    3.5100    3.5100
※絞り１は広角端・中間用の絞りであり、絞り２は望遠端用の絞りである。
単レンズデータ
レンズ     始面     焦点距離
1         1      -65.4255
2         3       19.1855
3         5       -6.2990
4         7      -14.4169
5         9       16.4715
6        12        6.4962
7        15       16.1465
8        17       -6.1427
9        19       18.1620
ズームレンズ群データ
群   始面    焦点距離  レンズ構成長    前側主点位置  後側主点位置
1      1    27.66189     3.81000         0.06360       1.50233
2      5    -5.87785     4.52830         0.27326       1.13244
3     11     9.07354     3.09450        -2.32889      -0.22903
4     19    18.16203     1.74000         0.63039       1.22567
ズームレンズ群倍率
群   始面    広角       中間       望遠
1      1    0.00000    0.00000    0.00000
2      5   -0.31105   -0.45849   -1.07160
3     11   -0.79715   -1.64253   -1.99160
4     19    0.67355    0.67738    0.73011
【産業上の利用可能性】
【００８０】
本発明に係るズームレンズ系は、デジタルカメラ、スマートフォン等の携帯情報端末、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【００８１】
Ｇ１    第１レンズ群
Ｇ２    第２レンズ群
Ｇ３    第３レンズ群
Ｇ４    第４レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ａ１    開口絞り１
Ａ２    開口絞り２
Ｐ      平行平板
Ｓ      像面
１      ズームレンズ系
２      撮像素子
３      液晶モニタ
４      筐体
５      主鏡筒
６      移動鏡筒
７      円筒カム
【図１】
2013145286.tif 000004
【図２】
2013145286.tif 000005
【図３】
2013145286.tif 000006
【図４】
2013145286.tif 000007
【図５】
2013145286.tif 000008
【図６】
2013145286.tif 000009
【図７】
2013145286.tif 000010
【図８】
2013145286.tif 000011
【図９】
2013145286.tif 000012